(57)【要約】【課題】ボールやカップ等の容器において、容器が接地する部分に滑り止め効果と容易に剥離可能な弱粘着力とを付与した事により、転倒を防止しながら安定して用いられる容器を提供する。【解決手段】器部１、器部を支持する高台部２、弾性体からなる接地部３、及び接地部３を高台部２の下面にて把持する底蓋部４とからなる滑りにくい容器。【選択図】図１
2007176575.tif 000002
【特許請求の範囲】
【請求項１】
器部、
該器部を支持する高台部、
弾性体からなる接地部、及び
前記接地部を前記高台部の下面にて把持する底蓋部
とからなる、滑りにくい容器。
【請求項２】
前記弾性体のせん断強さが３．０〜１０．０ｋＰａで、剥離強さが０．０５〜１．５Ｎ／２５ｍｍである請求項１に記載の容器。
【請求項３】
前記接地部が、接地面に対する滑り止め効果と、接地面に対して容易に剥離可能な弱粘着力とを有する請求項１又は２に記載の容器。
【請求項４】
前記高台部の下面に少なくとも一つ又は複数の突起部を有し、前記突起部のうち少なくとも一つ又は複数の突起部が前記接地部を押圧し接地面に荷重する請求項１〜３のいずれかに記載の容器。
【請求項５】
前記接地部及び底蓋部が取り外し可能である請求項１〜４のいずれかに記載の容器。
【発明の詳細な説明】
【技術分野】
【０００１】
本発明は、ボールやカップ等の容器が接地する部分に滑り止め効果と容易に剥離可能な弱粘着力とを有する滑りにくい容器に関し、詳しくは塗料や薬液等の粘性のある内容物の攪拌、攪拌棒やブラシ等の頻繁な出し入れ、作業台間での持ち運びや位置変え等の作業時にも転倒等の事故を防止しながら、容易に安定して使用できる滑りにくい容器に関する。
【背景技術】
【０００２】
従来より一人でボール、カップ等を使って作業する際には、片手が別の作業で塞がっている事が多くその為に種々の問題が生じていた。即ち、カップ内部に刷毛やブラシ、攪拌棒等を立てかけた時にその重みでカップが倒れる場合、カップの中に入れる内容物が粘性の高い物であると片手で攪拌する際に、カップごと回ってしまう場合等がある。
【０００３】
上記問題に対処するためにはボールやカップをしっかりと台に固定する方法がある。例えば、カップと台の間に摩擦の起きやすいゴム、エラストマーを挟む方法が考えられるが必ずしもカップ側の構造の問題でうまくいかなかったり、作業工程が一つ増えてしまったりして作業効率が悪い。
【０００４】
また、吸盤等の強く固定できるものを、カップ、ボール等の容器の底の部分に取りつけた物もある（特許文献１参照）。しかしながらこの場合には、ボール、カップ等を取る時に、吸盤の吸引力が強すぎてボール、カップ等の内容物が吸盤を取る時の勢いでこぼれてしまう恐れがある。内容物が塗料であれば、こぼれた塗料の除去清掃等に手間と時間がかかる。また内容物が薬液等であれば飛沫が飛散する恐れもあり薬液の種類によっては大変危険である。
【０００５】
【特許文献１】米国特許第６５９６３７４号明細書
【発明の開示】
【発明が解決しようとする課題】
【０００６】
本発明の目的とするところはボールやカップ等の容器において、容器が接地する部分に滑り止め効果と容易に剥離可能な弱粘着力とを有し、転倒防止効果があり安定して用いられる容器を提供することにある。
【課題を解決するための手段】
【０００７】
容器全体を粘着性のある素材にすると、内容物との相性で、容器の洗浄が困難となる場合や、容器が柔らかいと作業がしにくいという欠点がある。そこで、本発明では、容器の底面に摩擦の起きやすい容器本体とは異なる素材があらかじめついている容器を提供するものである。
【０００８】
本発明者は、上述の課題を解決するべく鋭意研究した結果、器部、器部を支持する高台部、弾性体からなる接地部、前記接地部を前記高台部の下面にて把持する底蓋部とからなる滑りにくい容器という新規な構成によって、上記課題を解決し得ることに想到して、本発明を完成させた。即ち、本発明は、以下の滑りにくい容器を提供するものである。
【０００９】
［１］器部、前記器部を支持する高台部、弾性体からなる接地部、及び前記接地部を前記高台部の下面にて把持する底蓋部とからなる、容器。
【００１０】
［２］前記弾性体のせん断強さが３．０〜１０．０ｋＰａで、剥離強さが０．０５〜１．５Ｎ／２５ｍｍである上記［１］に記載の容器。
【００１１】
［３］前記接地部が接地面に対する滑り止め効果と接地面に対して容易に剥離可能な弱粘着力とを有する上記［１］又は［２］に記載の容器。
【００１２】
［４］前記高台部の下面に少なくとも一つ又は複数の突起部を有し、前記突起部のうち少なくとも一つ又は複数の突起部が前期接地部を押圧し接地面に荷重する上記［１］〜［３］のいずれかに記載の容器。
【００１３】
［５］前記接地部及び底蓋部が取り外し可能である上記［１］〜［４］のいずれかに記載の容器。
【発明の効果】
【００１４】
本発明の滑りにくい容器によれば、塗料や薬液等の粘性のある内容物の攪拌、攪拌棒やブラシ等の頻繁な出し入れ、作業台間での容器の持ち運びや位置変え等の作業時にも転倒等の事故を防止しながら、容易に安定して使用できるという効果を奏する。
【発明を実施するための最良の形態】
【００１５】
以下、本発明を実施するための形態について図面を参照しながら説明するが、本発明は、これらに何ら限定されるものではなく、本発明の範囲を逸脱しない限りにおいて、当業者の知識に基づいて、種々の変更、修正、改良を加え得るものであることは言うまでもない。
【００１６】
本発明の滑りにくい容器は、図１のように、器部１、器部１を支持する高台部２、弾性体からなる接地部３、接地部３を高台部２の下面にて把持する底蓋部４とから構成される。
【００１７】
本発明の容器において、接地部３が接地面に対する滑り止め効果と接地面に対して容易に剥離可能な弱粘着力とを有する素材を使用する事が好ましい。例えば、エラストマー等が好ましい。本発明では、後述するように、実験を重ねる事により、エラストマーの中でも、作業効率を上げるためにしっかり土台に固定しておく事ができ更に容易にはがし易い素材物性があるものを見出す事ができた。
【００１８】
本発明の容器において、図２に示すように、高台部２の下面に一つの突起部５を有し、この突起部５が接地部３を押圧し接地面に荷重する事が好ましい。即ち高台部２と底蓋部４の間に粘着性のある素材、エラストマー等でできた接地部３を挟み込み、かつ、その素材が底蓋部４より下へ出っ張ることにより、容器を置く際に設置面との間に粘着性が発揮されるように高台部２の下面に突起部５を配置して工夫したものである。
【００１９】
また図３に示すように、本発明の容器において、前記高台部２の下面に複数の突起部５を有し、複数の突起部５が接地部３を押圧し接地面に荷重する事により、荷重を支持する点が多くなり、より容器を安定させる事が可能となる。
【００２０】
また更に、図４から図７は、突起部５の形状と配置のバリエーションを示す為の、高台部を下から見た模式的平面図である。突起部５の形状や、配置、向き等は特に限定するものではない。例として、図４には、高台部の外枠９の中に複数の点状の突起部５が不規則に設けられている。また、図５においては、同心円状の突起部５が設けられている。図６に示される形状や向きのものであっても、図７に見られるような放射状の形状のものであっても良い。
【００２１】
本発明の容器においては、図８に示すように、接地部３及び底蓋部４が取り外し可能である。高台部２の外枠９の外径のねじ切り８と、底蓋部４の内径のねじ切り８を用いて固定と取り外しができる。この実施例ではねじ切りを使用したが、爪をつける場合や、はめ殺しによる固定方法等の他、その方法を問わない。
【実施例】
【００２２】
以下、実験により、本発明に用いる弾性体（エラストマー）のせん断試験、剥離試験、引っ張り試験等により、粘着性のある好適な素材の特性を各種試験方法（ＪＩＳ、熱硬化性ポリウレタンエラストマー成形物の物理試験方法）のうち、三つの試験でその範囲が明らかとした。試験条件は以下の通りである。
【００２３】
（試験条件）
試験室温湿度：２３±２℃、５０±５％ＲＨ
資料の状態調節：２３±２℃、５０±５％ＲＨの室内で８８時間以上
試験機：オートグラフ  ＡＧ−１０ＴＤ（島津製作所製）
ロードセル：５０Ｎ
【００２４】
（１）せん断試験：
ＪＩＳ  Ｋ  ６８５０（１９９９）を参考に、合成被着剤に依頼者持込みのＰＶＣ板を、接着部分に相当する箇所に２５×３０ｍｍのエラストマーを挟んだ試料を用いて行った。試験速度は５０ｍｍ／ｍｉｎ。
【００２５】
（２）剥離試験
ＪＩＳ  Ｋ  ６８５４−３（１９９９）を参考に、幅５０ｍｍのＰＶＣ板とエラストマーを密着させ、ＰＶＣのつかみ部分を９０°に折り曲げて剥がす試験を行った。剥離強さはクロスヘッド移動量が４０、５０、６０、７０、８０ｍｍ時の荷重を平均して、２５ｍｍあたりの値に換算した。試験速度は３００ｍｍ／ｍｉｎ。
【００２６】
（３）引張り試験
ＪＩＳ  Ｋ  ７１１３（１９９５）の２号試験片の中央部約９０ｍｍに相当する試験片を用いて行い、クロスヘッド移動量５００ｍｍの荷重から引張り強さを計算した。ただし、試験片の幅６ｍｍ、厚さ３ｍｍとした。つかみ具間距離は５０ｍｍ、試験速度は５００ｍｍ／ｍｉｎ。
【００２７】
本発明の滑りにくい容器に用いられるエラストマーの上記３試験の結果を以下の表１に示す。
【００２８】
【表１】
2007176575.tif 000003
【００２９】
（１）せん断試験の結果。５０ｇ重＝０．６７ｋＰａ、２００ｇ重＝２．７ｋＰａ、６００ｇ重＝８．０ｋＰａ、８００ｇ重＝１０．７ｋＰａと換算できる。おそらく、セロテープ（登録商標）や接着剤よりかなり力が弱い。すぐに剥がせる付箋と同じくらいである。この弱い粘着力が接着しやすく、剥がしやすいというこの素材の長所である。このせん断試験の結果によれば、０．６７〜１０．７ＫＰａである事が望ましく、３．０〜１０．０ＫＰａの範囲がより望ましい。最適な数値は５．４６〜６．３３ＫＰａである事が実験により確認できた。
【００３０】
（２）剥離試験の結果。約１６ｇ重〜１９ｇ重の力で剥がれる事がわかった。５ｇ重＝０．０５Ｎ／２５ｍｍ、５０ｇ重＝０．５Ｎ／２５ｍｍと換算できる。この剥離試験により、０．０５〜１．５（Ｎ／２５ｍｍ）の範囲である事が望ましく、０．１〜０．２（Ｎ／２５ｍｍ）の範囲がより望ましい事が明らかとなった。
【００３１】
（３）引張り試験の結果。５０ｍｍつかみ、５００ｍｍ伸びた時の力を測定した。伸びが強い為、千切れる値を測定できなかった。この引張り試験では１００〜５００ＫＰａの範囲が望ましいことがわかった。
【産業上の利用可能性】
【００３２】
本発明は、ボールやカップ等の容器が接地する部分に滑り止め効果と容易に剥離可能な弱粘着力とを付与した滑りにくい容器として用いられる。特に塗料や薬液等の粘性のある内容物の攪拌、攪拌棒やブラシ等の頻繁な出し入れ、作業台間での持ち運びや位置変え等の作業時にも転倒等の事故を防止しながら容易に安定して使用できる滑りにくい容器として好適に用いられる。
【図面の簡単な説明】
【００３３】
【図１】本発明の滑りにくい容器の一の実施形態を説明する模式的断面図。
【図２】本発明の滑りにくい容器の別の実施形態を説明する模式的断面図。
【図３】本発明の滑りにくい容器の更に別の実施形態を説明する模式的断面図。
【図４】突起部の一の実施形態を説明する模式的平面図。
【図５】突起部の別の実施形態を説明する模式的平面図。
【図６】突起部の更に別の実施形態を説明する模式的平面図。
【図７】突起部の他の実施形態を説明する模式的平面図。
【図８】本発明の滑りにくい容器の他の実施形態を説明する模式的断面図。
【符号の説明】
【００３４】
１…器部、２…高台部、３…接地部、４…底蓋部、５…突起、８…ねじ切り、９…高台部外枠。
【図１】
2007176575.tif 000004
【図２】
2007176575.tif 000005
【図３】
2007176575.tif 000006
【図４】
2007176575.tif 000007
【図５】
2007176575.tif 000008
【図６】
2007176575.tif 000009
【図７】
2007176575.tif 000010
【図８】
2007176575.tif 000011